(57)【要約】【課題】循環使用によって消費した希釈液を補充する際に、補充後の希釈液を簡単な作業で確実に所望の濃度に設定可能にする。【解決手段】ゲージ１は、表示面４を有するスケール２と、スケール２に横方向にスライド移動自在に支持され、表示面４を覆うカバー部５を有するカーソル３とを備える。原液補給前の複数の希釈液量Ｐはカーソル３の複数のスライド位置にそれぞれ対応して設定され、カバー部５は縦方向に並ぶ複数の原液補給量表示領域１２を含む原液補給量表示窓１１を有する。カバー部５の外面には原液補給前の濃度値Ｑが各原液補給量表示領域１２に対応して表示されている。カーソル３が各スライド位置に設定されたとき、そのスライド位置の希釈液量Ｐに対応する原液補給量Ｒが各濃度値Ｑに対応して外部から視認可能に各原液補給量表示領域１２内に配置されるように、各原液補給量Ｒの値がスケール２の表示面４に表示されている。【選択図】図１
2009202253.tif 000002
【特許請求の範囲】
【請求項１】
原液を水で希釈した希釈液を所定濃度に設定するために補給する原液の量を読み取り可能なゲージであって、
表示面を有するスケールと、
前記スケールに対して第１の方向に沿ってスライド移動自在に支持され、前記表示面を覆うカバー部を有するカーソルと、を備え、
原液補給前の複数の希釈液量が、前記スケールに対する前記カーソルの複数のスライド位置にそれぞれ対応して設定され、
前記スケールと前記カーソルとは、前記カーソルが前記複数のスライド位置の任意の一つに設定されているとき、当該一つのスライド位置に対応する希釈液量を視認可能に表す希釈液量表示部を有し、
前記カーソルのカバー部は、前記第１の方向と交叉する第２の方向に沿って並ぶ複数の原液補給量表示領域を含む原液補給量表示窓を有し、
前記カーソルのカバー部の外面には、原液補給前の希釈液の複数の濃度値が前記複数の原液補給量表示領域にそれぞれ対応して表示され、
前記カーソルが前記複数のスライド位置にそれぞれ設定されたとき、当該設定されたスライド位置の希釈液量に対して補給すべき原液の補給量が、前記複数の濃度値にそれぞれ対応して外部から視認可能に前記原液補給量表示領域内に配置されるように、前記補給量を示す複数の数値が前記スケールの表示面に表示されている
ことを特徴とするゲージ。
【請求項２】
請求項１に記載のゲージを用いて希釈液を前記所定濃度に設定する希釈液調整方法であって、
所定の希釈液量となるまで希釈液に水を加え、
水を加えた後の希釈液の濃度を測定し、
前記カーソルに表示された複数の濃度値の中から前記測定した濃度に対応する濃度値を決定し、
前記スケールに対する前記カーソルのスライド位置を前記所定の希釈液量に対応する位置に設定し、前記決定した濃度値に対応する原液の補給量の数値を前記ゲージから読み取り、
前記読み取った補給量の原液を前記希釈液に加える
ことを特徴とする希釈液調整方法。
【発明の詳細な説明】
【技術分野】
【０００１】
本発明は、原液を水で希釈した希釈液を所定濃度に設定するために補給する原液の量を読み取り可能なゲージ及びこのゲージを用いた希釈液調整方法に関する。
【背景技術】
【０００２】
特開平１０−２９１３２号公報には、第１の入口から供給された水流に応じて第２の入口から切削油の原液を吸引し、これら水と切削油の原液とを混合して所定濃度の水溶性切削液を生成する混合バルブ装置と、混合バルブ装置が生成した水溶性切削液を貯蔵する貯留タンクとを備え、貯蔵タンクから複数の工作機械の夫々のタンクに水溶性切削液を供給する供給システムが記載されている。複数の工作機械は、それぞれタンク内の切削液を循環使用することにより切削液が消費されると、貯蔵タンクから各工作機械のタンクへ所定濃度の切削液が供給される。
【０００３】
【特許文献１】特開平１０−２９１３２号公報
【発明の開示】
【発明が解決しようとする課題】
【０００４】
一般に、各工作機械では、切削液を循環使用する際の状況（例えば、切削液の水成分の蒸発量や切り屑などとともに持ち出される切削液の廃棄量など）が相違する。このため、長時間継続して切削液を循環使用すると、切削液の濃度が初期状態から変化し、各工作機械のタンク間で濃度が相違してくる。従って、上記従来の供給システムのように全ての工作機械のタンクに対して同じ濃度の切削液を補充すると、各工作機械のタンク間で切削液の濃度が相違し、適正な初期濃度から乖離してしまう可能性が生じる。
【０００５】
また、上記不都合は、各工作機械のタンクにおいて、別々に切削液の濃度を調整することによって解消することが可能であるが、この場合、各タンクに水及び原液を補充する際に、加える水及び／又は原液の量を都度計算しなければならず、作業が煩雑である。
【０００６】
そこで、本発明は、循環使用によって消費した希釈液を補充する際に、補充後の希釈液を簡単な作業で確実に所望の濃度に設定することが可能なゲージ及び希釈液調整方法の提供を目的とする。
【課題を解決するための手段】
【０００７】
上記目的を達成すべく、本発明に係るゲージは、原液を水で希釈した希釈液を所定濃度に設定するために補給する原液の量を読み取り可能なゲージであって、表示面を有するスケールと、スケールに対して第１の方向に沿ってスライド移動自在に支持され、表示面を覆うカバー部を有するカーソルと、を備える。
【０００８】
原液補給前の複数の希釈液量は、スケールに対するカーソルの複数のスライド位置にそれぞれ対応して設定される。スケールとカーソルとは、カーソルが複数のスライド位置の任意の一つに設定されているとき、当該一つのスライド位置に対応する希釈液量を視認可能に表す希釈液量表示部を有する。カーソルのカバー部は、第１の方向と交叉する第２の方向に沿って並ぶ複数の原液補給量表示領域を含む原液補給量表示窓を有する。カーソルのカバー部の外面には、原液補給前の希釈液の複数の濃度値が複数の原液補給量表示領域にそれぞれ対応して表示されている。カーソルが複数のスライド位置にそれぞれ設定されたとき、当該設定されたスライド位置の希釈液量に対して補給すべき原液の補給量が、複数の濃度値にそれぞれ対応して外部から視認可能に原液補給量表示領域内に配置されるように、原液の補給量を示す複数の数値がスケールの表示面に表示されている。
【０００９】
希釈液量表示部は、スケールの表示面に表示された指標と、カーソルのカバー部に設けられて第１の方向に沿って延びる指標表示窓と、カーソルのカバー部の外面の指標表示窓の近傍に表示された複数の希釈液量の値と、を備えてもよい。指標は、スライド位置の変更に応じて指標表示窓内を第１の方向に沿って移動するとともに、各スライド位置において複数の希釈液量の値の一つを示す。
【００１０】
また、本発明に係る希釈液調整方法は、上記ゲージを用いて希釈液を所定濃度に設定する希釈液調整方法であり、所定の希釈液量となるまで希釈液に水を加え、水を加えた後の希釈液の濃度を測定し、カーソルに表示された複数の濃度値の中から測定した濃度に対応する濃度値を決定し、スケールに対するカーソルのスライド位置を所定の希釈液量に対応する位置に設定し、決定した濃度値に対応する原液の補給量の数値をゲージから読み取り、読み取った補給量の原液を希釈液に加えるものである。
【００１１】
上記構成及び上記方法では、循環使用によって消費したタンク内の希釈液を補充する際に、作業者は、所定の希釈液量となるまでタンク内の希釈液に水を加え、水を加えた後の希釈液の濃度を測定し、測定した濃度に対応する濃度値をカーソルに表示された複数の濃度値の中から決定し、スケールに対するカーソルのスライド位置を所定の希釈液量に対応する位置に設定し、決定した濃度値に対応する原液の補給量の数値をゲージから読み取り、読み取った補給量の原液をタンク内の希釈液に加えればよい。すなわち、タンク内に水を加えて濃度を測定した後、加える原液の補給量を都度計算して求めることなく、ゲージから原液の補給量を読み取ればよいので、簡単な作業によって補充後の希釈液を確実に所望の濃度に設定することができる。
【００１２】
なお、希釈液の適正濃度が相違する複数のタンクのそれぞれに対して希釈液の補充を行う場合には、各適正濃度に対応した原液の補給量の数値が表示されたスケールを備えた複数のゲージを用意しておけばよい。また、この場合、カーソルとスケールとを着脱自在に構成し、スケールのみを複数用意し、カーソルを共用してもよい。
【発明の効果】
【００１３】
本発明によれば、循環使用によって消費した希釈液を補充する際に、補充後の希釈液を簡単な作業で確実に所望の濃度に設定することができる。
【発明を実施するための最良の形態】
【００１４】
以下、本発明の一実施形態を図面に基づいて説明する。図１は本発明の実施形態に係るゲージを示す正面図、図２は図１のゲージの分解正面図、図３は図１のゲージのIII−III方向矢視断面図、図４は図１のゲージを用いた希釈液調整方法の説明図である。
【００１５】
本実施形態のゲージ１は、複数の工作機械の各々のタンクに貯留された水溶性の切削液（希釈液）を、所定の適正濃度（本実施形態では３％）に設定する際に使用される。各タンク内の希釈液は、各工作機械で循環使用され、その循環使用に伴う蒸発や廃棄等によって徐々に減少する。希釈液が減少すると、作業者は、各タンクに減少分に応じて希釈液を補充する。この切削液の補充に際し、作業者は、所定の希釈液量となるまでタンク内の希釈液に水を加え、水を加えた後の希釈液の濃度を測定し、測定した濃度を所定の適正濃度にするために必要な原液の量（補給量）をゲージ１を使って求め、求めた補給量の原液をタンク内の希釈液に加える。
【００１６】
図１〜図３に示すように、本実施形態に係るゲージ１は、スケール２とカーソル３とを備える。
【００１７】
スケール２は、表示面４を有する横長状の矩形薄板体である。カーソル３は、矩形薄板状のカバー部５と、カバー部５の裏面側から突出してスケール２の長手方向の縁部６と係合する断面略Ｌ状の係合部７とを有する。縁部６と係合部７との係合により、カーソル３は、スケール２に対して横方向（第１の方向、図１中矢印Ｘ方向）に沿ってスライド移動自在に支持され、かかる状態で、カバー部５は、表示面４を部分的に覆う。カバー部５の外面には、希釈液を何れの適正濃度に調整するためのゲージ１であるかを示す文字１７（本実施形態では「３％用」の文字）が表示されている。
【００１８】
原液を補給する前の希釈液量Ｐは、スケール２に対するカーソル３の複数のスライド位置（本実施形態では１０箇所のスライド位置）にそれぞれ対応するように設定されている。スケール２の表示面４には指標８が表示され、カーソル３のカバー部５には横方向に沿って直線状に延びる指標表示窓９が形成され、カバー部５の外面の指標表示窓９の縦方向両側近傍には、複数の希釈液量Ｐの値が、「１００」〜「１０００」（単位：Ｌ（リッタ））まで、１００Ｌ毎に、「タンク規定量目盛」として表示されている。指標８は、スケール２に対するカーソル３のスライド位置の変更に応じて指標表示窓９内を横方向に沿って移動し、各スライド位置において複数の希釈液量Ｐの値の一つを示す。すなわち、指標８と指標表示窓９と希釈液量Ｐの値とは、カーソル３が複数のスライド位置の任意の一つに設定されているとき、当該一つのスライド位置に対応する希釈液量Ｐを視認可能に表す希釈液量表示部として機能する。
【００１９】
カーソル３のカバー部５には、横方向と交叉する縦方向（第２の方向）に沿った直線状の原液補給量表示窓１１が形成されている。この原液補給量表示窓１１は、縦方向に並ぶ複数（本実施形態では５箇所）の原液補給量表示領域１２を含む。カーソル３のカバー部５の外面には、原液補給前の希釈液の複数の濃度値Ｑが、「０．５」〜「２．５」（単位：％）まで、０．５％毎に、複数の原液補給量表示領域１２にそれぞれ対応して、「水補給後濃度」として表示されている。カーソル３が複数のスライド位置にそれぞれ設定されたとき、当該設定されたスライド位置の希釈液量Ｐに対して補給すべき原液の量（原液補給量）Ｒが、複数の濃度値（原液補給前の濃度値）Ｑにそれぞれ対応して外部から視認可能に原液補給量表示領域１２内に配置されるように、原液補給量Ｒを表す複数の数値がスケール２の表示面４に表示されている。例えば、指標８を「１００」（Ｌ）に合わせると（希釈液量Ｐが１００Ｌであると）、「０．５」、「１」、「１．５」、「２」、及び「２．５」という各濃度値Ｑ（％）にそれぞれ対応して、「２．５」、「２」、「１．５」、「１」、及び「０．５」という原液補給量Ｒの値（Ｌ）が原液補給量表示窓１１内に縦方向に並んで表示され、指標８を「２００」（Ｌ）に合わせると（希釈液量Ｐが２００Ｌであると）、「５」、「４」、「３」、「２」、及び「１」という原液補給量Ｒの値（Ｌ）が原液補給量表示窓１１内に縦方向に並んで表示され、指標８を「３００」（Ｌ）に合わせると（希釈液量Ｐが３００Ｌであると）、「７．５」、「６」、「４．５」、「３」、及び「１．５」という原液補給量Ｒの値（Ｌ）が原液補給量表示窓１１内に縦方向に並んで表示され、以下同様に、指標８を「４００」（Ｌ）、「５００」（Ｌ）、・・・「９００」（Ｌ）、「１０００」（Ｌ）に順次合わせると、「０．５」、「１」、「１．５」、「２」、及び「２．５」という各濃度値Ｑ（％）にそれぞれ対応した原液補給量Ｒの値（Ｌ）が原液補給量表示窓１１内に縦方向に並んで表示される。原液補給量Ｒは、原液補給量Ｒ（Ｌ）＝希釈液量Ｐ（Ｌ）×（適正濃度（％）−原液補給前の濃度値Ｑ（％））／１００に従って算出される値である。
【００２０】
また、カーソル３のカバー部５には、縦方向に沿った直線状の含有原液量表示窓１４が形成されている。この含有原液量表示窓１４は、縦方向に並ぶ複数（本実施形態では５箇所）の含有原液量表示領域１５を含み、各含有原液量表示領域１５は、原液補給前の希釈液の複数の濃度値Ｑにそれぞれ対応している。カーソル３が複数のスライド位置にそれぞれ設定されたとき、当該設定されたスライド位置の希釈液量Ｐに既に含まれている原液の量（含有原液量）Ｓが、複数の濃度値（原液補給前の濃度値）Ｑにそれぞれ対応して外部から視認可能に含有原液量表示領域１５内に配置されるように、含有原液量Ｓを表す複数の数値がスケール２の表示面４に表示されている。例えば、指標８を「１００」（Ｌ）に合わせると（希釈液量Ｐが１００Ｌであると）、「０．５」、「１」、「１．５」、「２」、及び「２．５」という各濃度値Ｑ（％）にそれぞれ対応して、「０．５」、「１．０」、「１．５」、「２．０」、及び「２．５」という含有原液量Ｓの値（Ｌ）が含有原液量表示窓１４内に縦方向に並んで表示され、指標８を「２００」（Ｌ）に合わせると（希釈液量Ｐが２００Ｌであると）、「１．０」、「２．０」、「３．０」、「４．０」、及び「５．０」という含有原液量Ｓの値（Ｌ）が含有原液量表示窓１４内に縦方向に並んで表示され、指標８を「３００」（Ｌ）に合わせると（希釈液量Ｐが３００Ｌであると）、「１．５」、「３．０」、「４．５」、「６．０」、及び「７．５」という含有原液量Ｓの値（Ｌ）が含有原液量表示窓１４内に縦方向に並んで表示され、以下同様に、指標８を「４００」（Ｌ）、「５００」（Ｌ）、・・・「９００」（Ｌ）、「１０００」（Ｌ）に順次合わせると、「０．５」、「１」、「１．５」、「２」、及び「２．５」という各濃度値Ｑ（％）にそれぞれ対応した含有原液量Ｓの値（Ｌ）が含有原液量表示窓１４内に縦方向に並んで表示される。含有原液量Ｓは、含有原液量Ｓ（Ｌ）＝希釈液量Ｐ（Ｌ）×原液補給前の濃度値Ｑ（％）／１００に従って算出される値である。
【００２１】
さらに、カーソル３のカバー部５には、規定濃度原液必要量表示窓１６が形成されている。カーソル３が複数のスライド位置にそれぞれ設定されたとき、当該設定されたスライド位置の希釈液量Ｐの希釈液が規定濃度（適正濃度）であるときに含まれる原液の量（規定濃度原液必要量）Ｔが、外部から視認可能に規定濃度原液必要量表示窓１６内に配置されるように、規定濃度原液必要量Ｔを表す複数の数値がスケール２の表示面４に表示されている。例えば、指標８を「１００」（Ｌ）に合わせると（希釈液量Ｐが１００Ｌであると）、「３」という規定濃度原液必要量Ｔの値（Ｌ）が規定濃度原液必要量表示窓１６内に表示され、指標８を「２００」（Ｌ）に合わせると（希釈液量Ｐが２００Ｌであると）、「６」という規定濃度原液必要量Ｔの値（Ｌ）が規定濃度原液必要量表示窓１６内に表示され、指標８を「３００」（Ｌ）に合わせると（希釈液量Ｐが３００Ｌであると）、「９」という規定濃度原液必要量Ｔの値（Ｌ）が規定濃度原液必要量表示窓１６内に表示され、以下同様に、指標８を「４００」（Ｌ）、「５００」（Ｌ）、・・・「９００」（Ｌ）、「１０００」（Ｌ）に順次合わせると、「１２」、「１５」、・・・「２７」、「３０」という規定濃度原液必要量Ｔの値（Ｌ）が規定濃度原液必要量表示窓１６内に順次表示される。規定濃度原液必要量Ｔは、規定濃度原液必要量Ｔ（Ｌ）＝希釈液量Ｐ（Ｌ）×適正濃度（％）／１００に従って算出される値であり、各濃度値Ｑ（％）に対応する原液補給量Ｒと含有原液量Ｓとを加算すると、規定濃度原液必要量Ｔとなる。
【００２２】
なお、本実施形態では、指標８と指標表示窓９と希釈液量Ｐの値とによって希釈液量表示部を構成したが、例えば、カーソル３に希釈液量表示窓と形成し、カーソル３が複数のスライド位置の任意の一つに設定されているとき、当該一つのスライド位置に対応する希釈液量Ｐが希釈液量表示窓内に配置されるように、複数の希釈液量Ｐの値をスケール２の表示面４に表示する等、他の希釈液量表示部を採用してもよい。
【００２３】
また、希釈液の適正濃度が相違する複数のタンクのそれぞれに対して希釈液の補充を行う場合には、各適正濃度に対応した原液補給量Ｒの値が表示されたスケール２を備えた複数のゲージ１を用意しておけばよい。この場合、カーソル３とスケール２とを着脱自在に構成し、スケール２のみを複数用意し、各スケール２の表示面４に希釈液を何れの適正濃度に調整するためのゲージ１であるかを示す文字を表示して、カーソル３を共用してもよい。
【００２４】
次に、上記ゲージ１を使用した希釈液調整方法の一例について、図４を参照して説明する。
【００２５】
この例では、４台の工作機械の各タンク１０Ａ〜１０Ｄの容量（所定の希釈液量）は、それぞれ１００Ｌ、３００Ｌ、５００Ｌ、８００Ｌであり、各工作機械における希釈液の適正濃度は、全て３％である。各タンク１０Ａ〜１０Ｄ内の希釈液の初期濃度は、適正濃度（３％）に設定され、各工作機械の稼働に伴って、各タンク１０Ａ〜１０Ｄ内の希釈液が循環使用される。
【００２６】
希釈液を長期に亘って循環使用すると、蒸発や廃棄等によって各タンク１０Ａ〜１０Ｄ内の希釈液が減少する。循環使用による減少後の希釈液の量及び濃度（使用濃度）は、各工作機械によって相違する。この例では、各タンク１０Ａ〜１０Ｄの各使用濃度が、タンク１０Ａでは５％、タンク１０Ｂでは６％、タンク１０Ｃでは３％、タンク１０Ｄでは２．５％となった場合を示している。
【００２７】
各タンク１０Ａ〜１０Ｄ内の希釈液が減少すると、作業者は、各タンク１０Ａ〜１０Ｄに減少分に応じて希釈液を補充する。この切削液の補充に際し、作業者は、まず、所定の希釈液量となるまで各タンク１０Ａ〜１０Ｄ内の希釈液に水を加える。すなわち、タンク１０Ａでは１００Ｌ、タンク１０Ｂでは３００Ｌ、タンク１０Ｃでは５００Ｌ、タンク１０Ｄでは８００Ｌになるまで、水を加える。
【００２８】
次に、作業者は、水を加えた後の希釈液の濃度（希釈濃度）をそれぞれ測定する。この例では、各タンク１０Ａ〜１０Ｄの各希釈濃度が、タンク１０Ａでは２．５％、タンク１０Ｂでは３％、タンク１０Ｃでは２％、タンク１０Ｄでは１．５％であった場合を示している。
【００２９】
次に、測定した濃度を所定の適正濃度（３％）にするために必要な原液の量（補給量）をゲージ１を使って求め、求めた補給量の原液を各タンク１０Ａ〜１０Ｄ内の希釈液に加える。
【００３０】
例えば、タンク１０Ａの場合には、カーソル３に表示された希釈液量Ｐの１００（Ｌ）の位置にスケール２の指標８が合うように、スケール２に対するカーソル３のスライド位置を設定し、測定した希釈濃度が２．５％であるため、濃度値Ｑ＝２．５％に対応する原液補給量Ｒの数値（０．５（Ｌ））をゲージ１の原液補給量表示窓１１内から読み取り、読み取った補給量（０．５（Ｌ））の原液を希釈液に加える。同様に、タンク１０Ｃの場合には、カーソル３に表示された希釈液量Ｐの５００（Ｌ）の位置にスケール２の指標８が合うように、スケール２に対するカーソル３のスライド位置を設定し、測定した希釈濃度が２％であるため、濃度値Ｑ＝２．０％に対応する原液補給量Ｒの数値（５（Ｌ））をゲージ１の原液補給量表示窓１１内から読み取り、読み取った補給量（５（Ｌ））の原液を希釈液に加え、タンク１０Ｄの場合には、カーソル３に表示された希釈液量Ｐの８００（Ｌ）の位置にスケール２の指標８が合うように、スケール２に対するカーソル３のスライド位置を設定し、測定した希釈濃度が１．５％であるため、濃度値Ｑ＝１．０％に対応する原液補給量Ｒの数値（１２（Ｌ））をゲージ１の原液補給量表示窓１１内から読み取り、読み取った補給量（１２（Ｌ））の原液を希釈液に加える。なお、タンク１０Ｂの場合には、測定した希釈濃度が適正濃度である３％であるため、希釈液に原液を加える必要はない。
【００３１】
また、測定した希釈濃度が、表示された濃度値Ｑと一致していない場合には、測定した希釈濃度に最も近い濃度値Ｑを用いてもよい。また、測定した希釈濃度が、表示された２つの濃度値Ｑの間である場合、その２つの濃度値Ｑにそれぞれ対応する２つ原液補給量Ｒの間の値を比例配分等によって用いてもよい。例えば、上記例において、タンク１０Ａの希釈濃度が０．８％であった場合、濃度値Ｑ＝１．０％に対応する原液補給量Ｒの数値（２（Ｌ））を用いてもよく、また、濃度値Ｑ＝０．５％に対応する原液補給量Ｒの数値（２．５（Ｌ））と濃度値Ｑ＝１．０％に対応する原液補給量Ｒの数値（２（Ｌ））とを比例配分した数値（２．３（Ｌ））を用いてもよい。
【００３２】
このように、本実施形態では、循環使用によって消費したタンク１０Ａ〜１０Ｄ内の希釈液を補充する際に、作業者は、所定の希釈液量となるまでタンク１０Ａ〜１０Ｄ内の希釈液に水を加え、水を加えた後の希釈液の濃度（希釈濃度）を測定し、指標８を所定の希釈液量Ｐに合わせることによってスケール２に対するカーソル３のスライド位置を設定し、濃度値Ｑ（希釈濃度）に対応する原液補給量Ｒの数値をゲージ１から読み取り、読み取った補給量の原液をタンク１０Ａ〜１０Ｄ内の希釈液に加えればよい。すなわち、タンク１０Ａ〜１０Ｄ内に水を加えて濃度を測定した後、加える原液の補給量を都度計算して求めることなく、ゲージ１から原液の補給量を読み取ればよいので、簡単な作業によって補充後の希釈液を確実に所望の濃度に設定することができる。
【産業上の利用可能性】
【００３３】
本発明のゲージ及び希釈液調整方法は、原液を水で希釈した希釈液に原液を加えて所定濃度に設定する作業において有用である。
【図面の簡単な説明】
【００３４】
【図１】本発明の一実施形態に係るゲージを示す正面図である。
【図２】図１のゲージの分解正面図である。
【図３】図１のゲージのIII−III方向矢視断面図である。
【図４】図１のゲージを用いた希釈液調整方法の説明図である。
【符号の説明】
【００３５】
１：ゲージ
２：スケール
３：カーソル
４：表示面
５：カバー部
８：指標（希釈液量表示部）
９：指標表示窓（希釈液量表示部）
１１：原液補給量表示窓
１２：原液補給量表示領域
Ｐ：原液補給前の希釈液量
Ｑ：原液補給前の希釈液の濃度値（希釈濃度）
【図１】
2009202253.tif 000003
【図２】
2009202253.tif 000004
【図３】
2009202253.tif 000005
【図４】
2009202253.tif 000006